(57)【要約】【課題】パネルを所定位置に正確に設置することができるパネル設置方法に関する。【解決手段】化粧パネル８を所定位置に設置させるパネル設置方法であって、化粧パネル８の上部を支持している上部パネル支持部材２８と、化粧パネル８の下部を支持している下部パネル支持部材２６と、化粧パネル８を所定位置の上方に離間された状態で保持可能な保持部材３２を有するパネル設置治具２３により、保持部材３２が相対的に水平移動されることにより、化粧パネル８が降下し所定位置に化粧パネル８が設置される。【選択図】  図１
2007224604.tif 000002
【特許請求の範囲】
【請求項１】
基礎ベースに立ち上がり部を設け、前記立ち上がり部の屋外側の所定位置に、治具を使用してパネルを設置するパネル設置方法であって、
前記治具は治具本体と保持部材を備え、
治具本体は、パネルを支持するパネル支持部材と、パネルを運ぶ際に治具を持ち上げるための握りハンドル部と、パネル支持部材と握りハンドル部とを接続する接続部材を備え、
保持部材は下部が基礎ベースに載置されることで、治具本体及びパネルを所定位置の上方で離間配置した状態に保持可能となっており、また保持部材は治具本体及びパネルに対し相対的に水平移動することで治具本体及びパネルの保持を開放するものとなっており、
パネルを治具に載せたままの状態で、パネルが所定位置の真上になるように位置調整を行い、その後、保持部材を治具本体及びパネルに対し相対的に水平移動させて、治具本体及びパネルの保持を開放し、治具本体及びパネルを所定位置に降下させてパネルを設置することを特徴とするパネル設置方法。
【請求項２】
基礎ベースに立ち上がり部を設け、前記立ち上がり部の屋外側の所定位置に、治具を使用してパネルを設置するパネル設置方法であって、
前記治具は治具本体と保持部材を備え、
治具本体は、パネルを支持するパネル支持部材と、パネルを運ぶ際に治具を持ち上げるための握りハンドル部と、パネル支持部材と握りハンドル部とを接続する接続部材を備え、
保持部材は下部が基礎ベースに載置されることで、治具本体及びパネルを所定位置の上方で離間配置した状態に保持可能となっており、
パネル支持部材は保持部材及びパネルに対し相対的に水平移動することで、パネルの支持を開放するものとなっており、
パネルを治具に載せたままの状態でパネルが所定位置の真上になるように位置調整を行い、その後、パネル支持部材を保持部材及びパネルに対し相対的に水平移動させて、パネルの支持を開放し、パネルを所定位置に降下させてパネルを設置することを特徴とするパネル設置方法。
【請求項３】
前記パネル支持部材に、パネル落下防止部が設けられていることを特徴とする請求項１又は請求項２に記載のパネル設置方法。
【請求項４】
基礎ベース上方に、所定位置の真上となる位置を示す位置決め部が設けられていることを特徴とする請求項１乃至請求項３のいずれかに記載のパネル設置方法。
【請求項５】
パネルを所定位置に設置する際にパネルと基礎ベースとが接触する部分のパネル側接触部に気密保持部材を設けていることを特徴とする請求項１乃至請求項４のいずれかに記載のパネル設置方法。
【請求項６】
請求項１乃至請求項５のいずれかに記載のパネル設置方法に使用可能なパネル設置治具であって、治具本体と保持部材からなり、治具本体はパネルを支持するパネル支持部材と、パネルを運ぶ際に治具を持ち上げるための握りハンドル部と、パネル支持部材と握りハンドル部とを接続する接続部材よりなり、保持部材は下部が基礎ベースに載置されることで、治具本体及びパネルを所定位置の上方で離間配置した状態に保持可能なものとなっているパネル設置治具。
【発明の詳細な説明】
【技術分野】
【０００１】
本発明はパネルを所定位置に設置させるパネル設置方法及びパネル設置冶具に関する。
【背景技術】
【０００２】
建物の基礎部分の構成としては、例えば特許文献１では、鉄筋コンクリート製の基礎ベースを設け、立ち上がり部として基礎ベース上に複数個の鋼製の柱型基礎を設け、その柱型基礎の外側に目隠しとしてコンクリート成形板やフラッシュパネルで構成された化粧パネルを設けている。そして、基礎ベースと化粧パネルとの間にはシーリング材が設けられ、基礎の内側の気密性を保持している。このように基礎ベースと化粧パネルとの間にシーリング材を設けることで基礎部分内側の気密性を保持する場合では、シーリング材の位置と化粧パネルの位置がずれて隙間ができると気密確保できなくなるため、所定位置に正確に化粧パネルを設置する必要がある。このため、通常はクレーン等を使用して一旦化粧パネルを所定位置の上方で吊るした状態で位置調整を行い、ゆっくりと所定位置に化粧パネルを降下させて設置する方法が使用されている。
【特許文献１】特開２００５−２３５９５号
【発明の開示】
【発明が解決しようとする課題】
【０００３】
しかし、狭小地の場合や、建物庇や足場の存在により化粧パネルを吊り上げるためのクレーン等を用いることができない場合では、コンクリート成形板やフラッシュパネルで構成される化粧パネルが重いため、化粧パネルを手で持ち上げた状態のまま、所定位置の上方で位置調整を行うことは困難であるといった課題がある。
【０００４】
そこで、本発明ではクレーン等を用いなくとも、パネルを所定位置の上方で容易に位置調整でき、所定位置に正確に設置することができるパネル設置方法を提供することを目的とするものである。
【課題を解決するための手段】
【０００５】
請求項１記載の発明は、基礎ベースに立ち上がり部を設け、前記立ち上がり部の屋外側の所定位置に、治具を使用してパネルを設置するパネル設置方法であって、
前記治具は治具本体と保持部材を備え、
治具本体は、パネルを支持するパネル支持部材と、パネルを運ぶ際に治具を持ち上げるための握りハンドル部と、パネル支持部材と握りハンドル部とを接続する接続部材を備え、
保持部材は下部が基礎ベースに載置されることで、治具本体及びパネルを所定位置の上方で離間配置した状態に保持可能となっており、また保持部材は治具本体及びパネルに対し相対的に水平移動することで治具本体及びパネルの保持を開放するものとなっており、
パネルを治具に載せたままの状態で、パネルが所定位置の真上になるように位置調整を行い、その後、保持部材を治具本体及びパネルに対し相対的に水平移動させて、治具本体及びパネルの保持を開放し、治具本体及びパネルを所定位置に降下させてパネルを設置することを特徴とするパネル設置方法である。
【０００６】
治具本体のパネル支持部材としては、例えばパネルの短手方向に対してパネル支持部材を設けて支持するものや、パネルの長手方向に対してパネル支持部材を設けてパネルを支持するものなどが使用できる。またパネル支持部材の支持構造としては、パネルをパネル支持部材に載置させて支持するものや、パネルをパネル支持部材により挟み込んで支持するものなどが使用できる。
【０００７】
保持部材を治具本体及びパネルに対し相対的に水平移動させる手段としては、例えば、保持部材に連結されるレバーなどを設け、レバーの途中部分に保持部材を固定し、レバーの一端を半円弧状にして、レバーの一端をテコの原理の支点となるようにして、レバーを回転させ、その回転に伴い保持部材を治具本体及びパネルに対し相対的に水平移動させるものなどが使用できる。また、保持部材に連続する持ち手を設け、その持ち手を水平方向に引くことで保持部材を治具本体及びパネルに対し相対的に水平移動させるものも使用できる。
【０００８】
また、治具本体及びパネルの保持を開放する際に、治具本体及びパネルが降下する高さが、高過ぎると降下途中で方向が変わり、パネルの設置精度が悪くなるので、所定位置の上方への離間配置する高さとしては略５〜３０ｍｍ程度としておくことが好ましい。
【０００９】
この構成によれば、保持部材が治具本体及びパネルを設置位置の上方で離間配置した状態で保持しており、その保持部材は基礎ベースに載置されているものだから、クレーンを使用しなくとも、基礎ベース上で保持部材ごと治具本体及びパネルを移動させることができ、容易に治具本体及びパネルを所定位置の真上となるように位置調整することができる。そして、所定位置の真上となるように位置調整した後で、保持部材を治具本体及びパネルに対し相対的に水平移動することで、パネルは自重により降下し、所定位置に設置される。
【００１０】
請求項２記載の発明は、基礎ベースに立ち上がり部を設け、前記立ち上がり部の屋外側の所定位置に、治具を使用してパネルを設置するパネル設置方法であって、
前記治具は治具本体と保持部材を備え、
治具本体は、パネルを支持するパネル支持部材と、パネルを運ぶ際に治具を持ち上げるための握りハンドル部と、パネル支持部材と握りハンドル部とを接続する接続部材を備え、
保持部材は下部が基礎ベースに載置されることで、治具本体及びパネルを所定位置の上方で離間配置した状態に保持可能となっており、
パネル支持部材は保持部材及びパネルに対し相対的に水平移動することで、パネルの支持を開放するものとなっており、
パネルを治具に載せたままの状態でパネルが所定位置の真上になるように位置調整を行い、その後、パネル支持部材を保持部材及びパネルに対し相対的に水平移動させて、パネルの支持を開放し、パネルを所定位置に降下させてパネルを設置することを特徴とするパネル設置方法である。
【００１１】
治具本体のパネル支持部材としては、例えばパネルの短手方向に対してパネル支持部材を設けて支持するものや、パネルの長手方向に対してパネル支持部材を設けてパネルを支持するものなどが使用できる。またパネル支持部材の支持構造としては、パネルをパネル支持部材に載置させて支持するものや、パネルをパネル支持部材により挟み込んで支持するものなどが使用できる。
【００１２】
パネル支持部材を保持部材及びパネルに対し相対的に水平移動させる手段としては、例えば、パネル支持部材に連結されるレバーなどを設け、レバーの途中部分にパネル支持部材を固定し、レバーの一端を半円弧状にして、レバーの一端をテコの原理の支点となるようにして、レバーを回転させ、その回転に伴いパネル支持部材を保持部材及びパネルに対し相対的に水平移動させるものなどが使用できる。また、パネル支持部材に連続する持ち手を設け、その持ち手を水平方向に引くことでパネル支持部材を保持部材及びパネルに対し相対的に水平移動させるものも使用できる。
【００１３】
また、パネルの支持を開放する際に、パネルが降下する高さが、高過ぎると降下途中で方向が変わり、パネルの設置精度が悪くなるので、所定位置の上方への離間配置する高さとしては略５〜３０ｍｍ程度としておくことが好ましい。
【００１４】
この構成によれば、保持部材が治具本体及びパネルを設置位置の上方で離間配置した状態で保持しており、その保持部材は基礎ベースに載置されているものだから、クレーンを使用しなくとも、基礎ベース上で保持部材ごと治具本体及びパネルを移動させることができ、容易に治具本体及びパネルを所定位置の真上となるように位置調整することができる。そして、所定位置の真上となるように位置調整した後で、パネル支持部材を保持部材及びパネルに対し相対的に水平移動することで、パネルは自重により降下し、所定位置に設置される。
【００１５】
請求項３記載の発明は、請求項１又は請求項２記載のパネル設置方法であって、前記パネル支持部材に、パネル落下防止部が設けられていることを特徴とするものである。
【００１６】
パネル落下防止部としては、例えばパネル支持部材に折り返し部、突起部、粘着部などを設けるものなどが使用できる。
【００１７】
この構成によれば、パネル落下防止部により治具でパネルを持ち運びする際や、パネル設置作業をする際に誤ってパネルが落下することを防止することができ、パネルの破損を防止できる。
【００１８】
請求項４記載の発明は、請求項１乃至請求項３のいずれかに記載のパネル設置方法であって、基礎ベース上方に、所定位置の真上となる位置を示す位置決め部が設けられていることを特徴とするものである。
【００１９】
位置決め部としては、例えば基礎ベース上方の立ち上がり部に所定位置を示す突起部、折り返し部、ガイドレールなどを設けたものや、所定位置の真上となる位置に水糸を張ったものなどが使用できる。また、基礎ベース上面に所定位置の真上となる位置を誘導する基準線やガイドレールなどを設けるとパネルの位置調整が更に行い易くなるため好ましい。また、パネルを降下させる際に、パネルが位置決め部に接した状態のまま降下させると、位置決め部により所定位置に向かって誘導され降下経路が安定し、設置精度を向上させることもできるため好ましい。
【００２０】
この構成によれば、位置決め部がパネルを所定位置の真上となる位置を示すので、保持部材によりパネルが所定位置の上方に保持された状態で、パネルが所定位置の真上になるようにパネルを位置調整し易くなる。
【００２１】
請求項５記載の発明は、請求項１乃至請求項４のいずれかに記載のパネル設置方法であって、パネルを所定位置に設置する際にパネルと基礎ベースとが接触する部分のパネル側接触部に気密保持部材を設けていることを特徴とするものである。
【００２２】
気密保持部材としては、例えば熱可塑性軟質合成樹脂や軟質ゴムなどのような柔軟な高分子で構成されたものなどが使用できる。
【００２３】
この構成によれば、パネルが所定位置に設置される際にパネルと基礎ベースとが接触する部分のパネル側接触部に気密保持部材が設けられているので、保持部材又はパネル支持部材を水平移動させ、パネルが所定位置に降下する際に、気密保持部材がパネルと基礎ベースとの間に挟まれ、気密保持部材が圧着されて、パネルと基礎ベースとの隙間がしっかりと埋められるので、パネル設置と同時に基礎部分内側の気密性の保持が完了できる。
【００２４】
請求項６記載の発明は、請求項１乃至請求項５のいずれかに記載のパネル設置方法に使用可能なパネル設置治具であって、治具本体と保持部材からなり、治具本体はパネルを支持するパネル支持部材と、パネルを運ぶ際に治具を持ち上げるための握りハンドル部と、パネル支持部材と握りハンドル部とを接続する接続部材よりなり、保持部材は下部が基礎ベースに載置されることで、治具本体及びパネルを所定位置の上方で離間配置した状態に保持可能なものとなっているパネル設置治具である。
【００２５】
この構成によれば、保持部材が治具本体及びパネルを設置位置の上方で離間配置した状態で保持しており、その保持部材は基礎ベースに載置されているものだから、クレーンを使用しなくとも、基礎ベース上で保持部材ごと治具本体及びパネルを移動させることができ、容易に治具本体及びパネルを所定位置の真上となるように位置調整することができるパネル設置治具として使用できる。
【発明の効果】
【００２６】
請求項１記載のパネル設置方法によれば、保持部材が治具本体及びパネルを設置位置の上方で離間配置した状態で保持しており、その保持部材は基礎ベースに載置されているものだから、クレーンを使用しなくとも、基礎ベース上で保持部材ごと治具本体及びパネルを移動させることができ、容易に治具本体及びパネルを所定位置の真上となるように位置調整することができる。そして、所定位置の真上となるように位置調整した後で、保持部材を治具本体及びパネルに対し相対的に水平移動することで、パネルは自重により降下し、所定位置に設置される。
【００２７】
請求項２記載のパネル設置装置によれば、保持部材が治具本体及びパネルを設置位置の上方で離間配置した状態で保持しており、その保持部材は基礎ベースに載置されているものだから、クレーンを使用しなくとも、基礎ベース上で保持部材ごと治具本体及びパネルを移動させることができ、容易に治具本体及びパネルを所定位置の真上となるように位置調整することができる。そして、所定位置の真上となるように位置調整した後で、パネル支持部材を保持部材及びパネルに対し相対的に水平移動することで、パネルは自重により降下し、所定位置に設置される。
【００２８】
請求項３記載のパネル設置装置によれば、パネル落下防止部により治具でパネルを持ち運びする際や、パネル設置作業をする際に誤ってパネルが落下することを防止することができ、パネルの破損を防止できる。
【００２９】
請求項４記載のパネル設置装置によれば、位置決め部がパネルを所定位置の真上となる位置を示すので、保持部材によりパネルが所定位置の上方に保持された状態で、パネルが所定位置の真上になるようにパネルを位置調整し易くなる。
【００３０】
請求項５記載のパネル設置装置によれば、パネルが所定位置に設置される際にパネルと基礎ベースとが接触する部分のパネル側接触部に気密保持部材が設けられているので、保持部材又はパネル支持部材を水平移動させ、パネルが所定位置に降下する際に、気密保持部材がパネルと基礎ベースとの間に挟まれ、気密保持部材が圧着されて、パネルと基礎ベースとの隙間がしっかりと埋められるので、パネル設置と同時に基礎部分内側の気密性の保持が完了できる。
【００３１】
請求項６記載のパネル設置治具によれば、保持部材が治具本体及びパネルを設置位置の上方で離間配置した状態で保持しており、その保持部材は基礎ベースに載置されているものだから、クレーンを使用しなくとも、基礎ベース上で保持部材ごと治具本体及びパネルを移動させることができ、容易に治具本体及びパネルを所定位置の真上となるように位置調整することができるパネル設置治具として使用できる。
【発明を実施するための最良の形態】
【００３２】
以下、本発明のパネル設置装置の実施の形態を図１乃至図９に基づいて説明する。
【実施例１】
【００３３】
実施例１は、本発明のパネル設置方法を使用してユニット建物１の基礎部分に化粧パネル８の設置を行うものであり図１乃至図７に基づいて説明する。図１は本発明のパネル設置方法の使用説明図である。図２は本発明のパネル設置治具の部品展開図である。図３は本発明のパネル設置方法で使用する化粧パネルの部品展開図である。図４は実施例１のユニット建物の模式平面図である。図５（ａ）、（ｂ）、（ｃ）はそれぞれ図４のＡ部、Ｂ部、Ｃ部におけるユニット建物の詳細平面図である。図６（ａ）、（ｂ）、（ｃ）は図４のＡ部、Ｂ部、Ｃ部に用いる柱型基礎及びパネル固定用束の斜視図である。図７はユニット建物を構成する建物ユニットの斜視図である。
【００３４】
ユニット建物１は図４のように複数の建物ユニット２を複数個配置することにより構成されている。図４のＡ部はユニット建物２の出隅部、Ｂ部は化粧パネル継ぎ部、Ｃ部はユニット継ぎ部である。
【００３５】
建物ユニット２は、図７に示すように４本の柱３の上部に天井梁４をそれぞれ結合し、４本の柱３の下部に床梁５をそれぞれ結合した構成となっている。
【００３６】
ユニット建物１の基礎部分は、主には基礎ベース６、柱型基礎７、化粧パネル８で構成されている。
【００３７】
基礎ベース６はコンクリートで構成されたベタ基礎となっており、ユニット建物１の直下の地盤面全体に亘り設けられている。そして、基礎ベース６の端部はユニット建物１の外壁パネル９の外面と略同一の位置となっている。
【００３８】
柱型基礎７は、図４のＡ部及びＣ部に示すような建物ユニット２の柱の下方部分に、それぞれ柱１本につき一箇所づつ設けられている。柱型基礎７は、側面隅角部に開口部１０が設けられた角柱の柱部３７と上端面に設けられた上部プレート部１１、下端部に設けられた下部プレート部１２により構成されている。上部プレート１１及び下部プレート１２には、それぞれ1箇所貫通孔が設けられている。柱型基礎７の基礎ベース６への固定には、基礎ベース６に設けられたアンカーボルトを、柱型基礎７の下部プレート１２の貫通孔に挿入し、柱部３７の開口部１０を利用してナットを柱部３７の内側から下部プレート１２の上部より締め付けて基礎ベース６に固定している。柱型基礎７の建物ユニット２への固定には、柱型基礎７の開口部１０を利用してボルトを柱部の内側に挿入し、内側から上部プレート１１の貫通孔にボルトを挿入し、建物ユニット２の柱３の下端部に固定している。
また、図４のＢ部に示す化粧パネル継ぎ部には、化粧パネル８を固定するためのパネル固定用束１３が設けられている。
【００３９】
柱型基礎７及びパネル固定用束１３の屋外側の側面には、所定位置の真上となる位置を示す位置決め部を有する上部パネル受け材１４と下部パネル受け材１５が設けられている。
【００４０】
上部パネル受け材１４は、図６に示すように、鋼製の板に数箇所の折れ点を有する構成になっている。上部パネル受け材１４の上部には、２つの折れ点を設けることにより、化粧パネル８に平行となる板状の上部位置決め部１６が設けられている。上部パネル受け材１４の下部両端付近には、柱型基礎７又はパネル固定用束１３への設置用孔１７が設けられている。
【００４１】
下部パネル受け材１５も、図６に示すように、鋼製の板に数箇所の折れ点を有する構成になっている。下部パネル受け材１５の上端部には柱型基礎７の側面より１つの折れ点を設けることで、基礎ベース６に平行となる板状になされ、その先端部が下部位置決め部１８となっている。また、上記折れ点の直下の両端側付近には設置用孔１９が設けられている。下部パネル受け材１５の下部中央部分は折れ点がなく下方に延びている。下部パネル受け材１５の下部の両側面には３つの折れ点を設け、３つ目の折れ点部分には溝孔２０が設けられている。
【００４２】
ユニット建物１の出隅部では図６（ａ）のように柱型基礎７の柱部３７側面の上端部付近に建物ユニット２の梁延長方向に沿って上部パネル受け材１４が設けられている。また同様に、柱型基礎７の柱部３７側面の下端部付近に建物ユニット２の梁延長方向に沿って下部パネル受け材１５が設けられている。上部パネル受け材１４は、設置用孔１７の一方のみにビスを挿入して柱型基礎７の柱部３７側面にビス固定され、他方の設置用孔１７がある側は柱型基礎７から張出した状態になっている。
【００４３】
下部パネル受け材１５は、設置用孔１９の一方のみにビスを挿入して、柱型基礎７の柱部３７側面に固定され、他方の設置用孔１９がある側は柱型基礎７から張出した状態になっている。
【００４４】
化粧パネル継ぎ部では図６（ｂ）のように、パネル固定用束１３の上端部付近に上部パネル受け材１４の中央部がビス固定され、下端部付近に下部パネル受け材１５の中央部がビス固定されている。
【００４５】
ユニット建物１のユニット継ぎ部では図６（ｃ）のように柱型基礎７の柱部３７側面に、柱型基礎７同士を跨ぐように上端部付近に上部パネル受け材１４が、下端部付近に下部パネル受け材１５が設けられている。
【００４６】
化粧パネル８は、板状の押出成形セメント板により構成されている。図３の形状はユニット建物の一般部に用いる場合の化粧パネルの形状であり、ユニット建物１の隅角部に用いる化粧パネル８はＬ字状の形状となっている。ユニット建物１の屋外側面は凹凸を設けた化粧がなされている。なお、この実施例では、押出成形セメント板を使用したが、この他にもスチレンフォームやフェノールフォームを成形セメント板で挟み込んだものや、スチレンフォームやフェノールフォームを鋼板で挟み込んだものを使用してもよい。
【００４７】
化粧パネル８上端部には上方に開放した凹部３８が設けられている。化粧パネル８下端面４１には、基礎ベース６の端部に対応するように、下端面の屋外側に凸部３９が設けられている。凸部３９の屋内側の凸部側面部４０、つまりパネルを所定位置に設置する際にパネルと基礎ベースとが接触する部分のパネル側接触部には、化粧パネル８の長手方向に亘って、気密保持部材２１が設けられている。気密保持部材２１としてはブチルロッドが使用されている。なお、本実施例では、気密保持部材２１としてブチルロッドが使用されているが、他に熱可塑性軟質合成樹脂や軟質ゴムなどのような柔軟な高分子で構成されたもの使用してもよい。また、凸部３９の屋内側にある化粧パネル下端面４１には化粧パネル８の長手方向の両端部付近に、下方に向けて突出部を有するパネル固定金具２２が設けられている。
【００４８】
パネル設置治具２３は、治具本体４２と保持部材３２から構成されている。治具本体４２はパネルを持ち上げるための握りハンドル２４、上部パネル支持部材２８、下部パネル支持部材２６、接続部材２５よりなる。なお、接続部材２５により、握りハンドル２４、上部パネル支持部材２８、下部パネル支持部材２６とを接続している。パネル設置治具２３は、図２に示すように上部に化粧パネル８の運搬がし易いように水平方向に延びる長方形の角パイプで構成された握りハンドル２４が設けられている。握りハンドル２４の下方には、垂直方向に延びる２本の長方形の角パイプで構成された接続部材２５が離間配置され、溶接固定されている。握りハンドル２４と接続部材２５とはお互いの長方形断面の長辺側面同士が接続されている。２本の接続部材２５の下端部には接続部材２５と接続部材２５の間に亘って下部パネル支持部材２６が配置されている。下方支持部材２６の一端が接続部材２５の長辺側面に沿って曲げられており、その曲げられた部分と接続部材２５の接触面を溶接することで固定されている。また、下部パネル支持部材２６は接続部材２５に対し鉛直方向に延びる水平部が設けられている。この水平部により化粧パネル８の下端を支持している。また、この水平部の端部はパネル落下防止部として上方向に折り返し部２７が設けられ、化粧パネル８が落下しないようにしている。
【００４９】
また、接続部材２５の一方には、上部パネル支持部材２８が設けられている。なお、この上部パネル支持部材２８は接続部材２５の側面にネジを押し当てて固定されているだけのため、下部パネル支持部材２６より略化粧パネルの高さの位置となるように固定位置を調整できるようになっている。また上部パネル支持部材２８は、パネル落下防止部として下方向に折り返し部２９が設けられた水平部で構成され、化粧パネル８を上方より支持することができるようになっている。
【００５０】
上部パネル支持部材２８が設けられた接続部材２５とは異なる側の接続部材２５の下方の下部パネル支持部材２６の側面部分に、接続部材２５の外側短辺側面に沿うように裏あて部材３０が溶接固定されている。裏あて部材３０には、ボルト孔３１が２箇所設けられている。この裏あて部材３０の外側に保持部材３２が設けられている。この保持部材３２は、図２のように下方に略１０ｍｍの突出高さで突出した突出部３３を有する板状に構成されている。また、保持部材３２の中央付近に溝孔３４が設けられている。保持部材３２は、この溝孔３４に２本のボルトを離間して貫通させ、裏あて部材３０のボルト孔３１に挿入して裏あて部材３０にボルト固定している。
【００５１】
保持部材３２の接続部材２５側には、レバー３５が設けられている。レバー３５は、保持部材３２の溝孔３４の上方にボルトにより固定されている。また、レバー３５の下端部は半円弧状になっており、下部パネル支持部材２６に接している。また、レバー３５上部は上方に向けて延びた構成になっており、握りやすいように円柱状になっている。そして、レバー３５を回動させると、治具本体４２及びパネルに対し相対的に水平移動するようになっている。
【００５２】
化粧パネル８の設置方法としては、まずパネル設置治具２３を２個準備する。そして、パネル設置治具２３を化粧パネル８の長手方向の両端部付近にそれぞれ配置する。化粧パネル８の屋外側面がパネル設置治具２３の接続部材２５側に向くようにして、パネル設置治具２３の下部パネル支持部材２６の上に載せる。上部パネル支持部材２８を移動させて化粧パネル８の高さに調整して、化粧パネル８を上部から支持する。そして、二人の作業者でそれぞれパネル設置治具２３の握りハンドル２４を持ち、パネル設置治具２３ごと化粧パネル８を持ち上げ、基礎ベース６の所定位置の上方に離間設置する。この離間設置の状態では、パネル設置治具２３の保持部材３２が基礎ベース６に載置した状態で、パネル設置治具２３及び化粧パネル８を保持している。
【００５３】
この保持部材３２により保持した状態のまま、奥行き方向には上部パネル受け材１４の上部位置決め部１６、下部パネル受け材１５の下部位置決め部１８に押し当てながら所定位置の真上になるようにパネル設置治具２３ごと化粧パネル８を移動させて位置調整をする。水平方向には化粧パネル８の目地部の幅を確認しながら、所定位置の真上になるようにパネル設置治具２３ごと化粧パネル８を移動させて位置調整をする。
【００５４】
位置調整が完了し、所定位置の真上に化粧パネルを配置できると、化粧パネル８を上部位置決め部１６及び下部位置決め部１８に押し当て当てたまま、パネル設置治具２３のレバー３５を手前に引く。レバー３５が引かれることにより、保持部材３２が治具本体４２及び化粧パネル８に対し相対的に水平移動し、基礎ベース６から外れる。この際保持部材３２により保持されていた化粧パネル８及び治具本体４２は、自重により鉛直に降下し、化粧パネル８下部のパネル固定金具２２が下部パネル受け材１５の溝孔２０に嵌合される。
【００５５】
この際、気密保持部材２１が基礎ベース６端部と化粧パネル８の間に圧着されて気密保持が完了する。次に上部パネル支持部材１４のネジを緩めて、パネル設置治具を化粧パネルから取り外す。化粧パネル８上端部の凹部の内側の突出部に固定金具３６をはめ込み、一端を上部パネル受け材１４にドリルネジで固定する。以上の作業により化粧パネル８は所定位置へ設置される。
【００５６】
このパネル設置方法によれば、保持部材３２が治具本体４２及び化粧パネル８を設置位置の上方に離間された状態で保持しており、その保持部材３２は基礎ベース６に載置されているものだから、クレーンを使用しなくとも、基礎ベース６上で保持部材３２ごと治具本体４２及び化粧パネル８を移動させることができ、容易に治具本体４３及び化粧パネル８を所定位置の真上となるように位置調整することができる。なお、保持部材は、テコの原理とコンクリートと鉄の摩擦力の関係により、軽くレバーを引くだけで基礎ベース上を滑動する。そして、所定位置の真上なるように調整した後で、保持部材３２を治具本体４３及び化粧パネル８に対し相対的に水平移動することで、化粧パネル８が自重によりが降下し、所定位置に設置される。
【００５７】
また、パネル落下防止部である折り返し部２７、２９により治具２３で化粧パネル８を持ち運びする際や、化粧パネル８の設置作業をする際に誤って化粧パネル８が落下することを防止することができ、化粧パネル８の破損を防止できる。
【００５８】
上部位置決め部１６、下部位置決め部１８が化粧パネル８を所定位置の真上となる位置を示すので、保持部材３２により化粧パネル８が保持された状態で、化粧パネル８が所定位置の真上になるように位置調整し易くなる。また、化粧パネル８を降下させる際に、化粧パネル８が上部位置決め部１６、下部位置決め部１８に接した状態のまま降下させるので、所定位置に向かって誘導され降下経路が安定し、設置精度を向上させることができる。
【００５９】
化粧パネル８が所定位置に設置される際に化粧パネル８と基礎ベース６とが接触する部分の化粧パネル８側接触部に気密保持部材２１が設けられているので、保持部材３２を水平移動させ、化粧パネル８が所定位置に降下する際に、気密保持部材２１が化粧パネル８と基礎ベース６との間に挟まれ、気密保持部材２１が圧着されて、化粧パネル８と基礎ベース６との隙間がしっかりと埋められるので、化粧パネル８設置と同時に基礎部分内側の気密性の保持が完了できる。
【実施例２】
【００６０】
実施例２は、実施例１とほぼ同様の構成であり、パネル設置治具２３の構成が異なる。よって、実施例１と同様の構成部分については同図面、同符号を用いて説明する。実施例１の図１の変わりに図８を、図２の変わりに図９に基づいて説明する。図８は本発明のパネル設置方法の使用説明図である。図９は本発明のパネル設置治具の部品展開図である。なお、図３乃至図７については同じ図面のため説明を省略する。
【００６１】
ユニット建物１は図４のように複数の建物ユニット２を複数個配置することにより構成されている。図４のＡ部はユニット建物２の出隅部、Ｂ部は化粧パネル継ぎ部、Ｃ部はユニット継ぎ部である。
【００６２】
建物ユニット２は、図７に示すように４本の柱３の上部に天井梁４をそれぞれ結合し、４本の柱３の下部に床梁５をそれぞれ結合した構成となっている。
【００６３】
ユニット建物１の基礎部分は、主には基礎ベース６、柱型基礎７、化粧パネル８で構成されている。
【００６４】
基礎ベース６はコンクリートで構成されたベタ基礎となっており、ユニット建物１の直下の地盤面全体に亘り設けられている。そして、基礎ベース６の端部はユニット建物１の外壁パネル９の外面と略同一の位置となっている。
【００６５】
柱型基礎７は、図４のＡ部及びＣ部に示すような建物ユニット２の柱の下方部分に、それぞれ柱１本につき一箇所づつ設けられている。柱型基礎７は、側面隅角部に開口部１０が設けられた角柱の柱部３７と上端面に設けられた上部プレート部１１、下端部に設けられた下部プレート部１２により構成されている。上部プレート１１及び下部プレート１２には、それぞれ1箇所貫通孔が設けられている。柱型基礎７の基礎ベース６への固定には、基礎ベース６に設けられたアンカーボルトを、柱型基礎７の下部プレート１２の貫通孔に挿入し、柱部３７の開口部１０を利用してナットを柱部３７の内側から下部プレート１２の上部より締め付けて基礎ベース６に固定している。柱型基礎７の建物ユニット２への固定には、柱型基礎７の開口部１０を利用してボルトを柱部の内側に挿入し、内側から上部プレート１１の貫通孔にボルトを挿入し、建物ユニット２の柱３の下端部に固定している。
また、図４のＢ部に示す化粧パネル継ぎ部には、化粧パネル８を固定するためのパネル固定用束１３が設けられている。
【００６６】
柱型基礎７及びパネル固定用束１３の屋外側の側面には、上部パネル受け材１４と下部パネル受け材１５が設けられている。
【００６７】
上部パネル受け材１４は、図６に示すように、鋼製の板に数箇所の折れ点を有する構成になっている。上部パネル受け材１４の上部には、２つの折れ点を設けることにより、化粧パネル８に平行となる板状の上部位置決め部１６が設けられている。上部パネル受け材１４の下部両端付近には、柱型基礎７又はパネル固定用束１３への設置用孔１７が設けられている。
【００６８】
下部パネル受け材１５も、図６に示すように、鋼製の板に数箇所の折れ点を有する構成になっている。下部パネル受け材１５の上端部には柱型基礎７の側面より１つの折れ点を設けることで、基礎ベース６に平行となる板状になされ、その先端部が下部位置決め部１８となっている。また、上記折れ点の直下の両端側付近には設置用孔１９が設けられている。下部パネル受け材１５の下部の中央部分は折れ点がなく下方に延びている。下部パネル受け材１５の下部の両側面には３つの折れ点を設け、３つ目の折れ点部分には溝孔２０が設けられている。
【００６９】
ユニット建物１の出隅部では図６（ａ）のように柱型基礎７の柱部３７側面の上端部付近に建物ユニット２の梁延長方向に沿って上部パネル受け材１４が設けられている。また同様に、柱型基礎７の柱部３７側面の下端部付近に建物ユニット２の梁延長方向に沿って下部パネル受け材１５が設けられている。上部パネル受け材１４は、設置用孔１７の一方のみにビスを挿入して柱型基礎７の柱部３７側面にビス固定され、他方の設置用孔１７がある側は柱型基礎７から張出した状態になっている。
下部パネル受け材１５は、設置用孔１９の一方のみにビスを挿入して、柱型基礎７の柱部３７側面に固定され、他方の設置用孔１９がある側は柱型基礎７から張出した状態になっている。
【００７０】
化粧パネル継ぎ部では図６（ｂ）のように、パネル固定用束１３の上端部付近に上部パネル受け材１４の中央部がビス固定され、下端部付近に下部パネル受け材１５の中央部がビス固定されている。
【００７１】
ユニット建物１のユニット継ぎ部では図６（ｃ）のように柱型基礎７の柱部３７側面に、柱型基礎７同士を跨ぐように上端部付近に上部パネル受け材１４が、下端部付近に下部パネル受け材１５が設けられている。
【００７２】
化粧パネル８は、板状の押出成形セメント板により構成されている。図３の形状はユニット建物の一般部に用いる場合の化粧パネルの形状であり、ユニット建物１の隅角部に用いる化粧パネル８はＬ字状の形状となっている。ユニット建物１の屋外側面は凹凸を設けた化粧がなされている。なお、この実施例では、押出成形セメント板を使用したが、この他にもスチレンフォームやフェノールフォームを成形セメント板で挟み込んだものや、スチレンフォームやフェノールフォームを鋼板で挟み込んだものを使用してもよい。化粧パネル８上端部には上方に開放した凹部３８が設けられている。化粧パネル８下端面４１、つまり化粧パネル８を所定位置に設置する際に化粧パネル８と基礎ベース６とが接触する部分のパネル側接触部には、基礎ベース６の端部に対応するように、下端面の屋外側に凸部３９が設けられている。凸部３９の屋内側の凸部側面部４０には、化粧パネル８の長手方向に亘って、気密保持部材２１が設けられている。気密保持部材２１としてはブチルロッドが使用されている。なお、本実施例では、気密保持部材２１としてブチルロッドが使用されているが、他に熱可塑性軟質合成樹脂や軟質ゴムなどのような柔軟な高分子で構成されたもの使用してもよい。また、凸部３９の屋内側にある化粧パネル下端面４１には化粧パネル８の長手方向の両端部付近に、下方に向けて突出部を有するパネル固定金具２２が設けられている。
【００７３】
パネル設置治具２２３は、治具本体２４２と保持部材２３２から構成されている。治具本体２４２は化粧パネル８を持ち上げるための握りハンドル２２４、上部パネル支持部材２２８、下部パネル支持部材２２６、接続部材２２５よりなる。なお、接続部材２２５により、握りハンドル２２４、上部パネル支持部材２２８、下部パネル支持部材２２６とを接続している。パネル設置治具２２３は、図２に示すように上部に化粧パネル８の運搬がし易いように水平方向に延びる長方形の角パイプで構成された握りハンドル２２４が設けられている。握りハンドル２２４の下方には、垂直方向に延びる２本の長方形の角パイプで構成された接続部材２２５が離間配置され、溶接固定されている。握りハンドル２２４と接続部材２２５とはお互いの長方形断面の長辺側面同士が接続されている。２本の接続部材２２５の下端部には接続部材２２５と接続部材２２５の間に亘って下部パネル支持部材２２６が設けられている。下部パネル支持部材２２６は水平方向に延びる水平材で構成され、この下部パネル支持部材２２６の一端に化粧パネル８の下端を支持している。下部パネル支持部材２２６の他端は、接続部材２２５を越えて延びており、端部が上方に曲げられた曲げ部２２７になっている。その曲げ部２２７を引くことで下方支持部材２２６が水平移動するようになっている。なお、下部パネル支持部材２２６を覆うようにカバー部材２３１が設けられている。
【００７４】
また、接続部材２２５の一方には、上部パネル支持部材２２８が設けられている。なお、この上部パネル支持部材２２８は接続部材２２５の側面にネジを押し当てて固定されているだけのため、下部パネル支持部材２２６より略化粧パネルの高さの位置となるように固定位置を調整できるようになっている。また上部パネル支持部材２２８は、下方向に折り返し部２２９が設けられた水平部で構成され、化粧パネル８を上方より支持することができるようになっている。
【００７５】
上部パネル支持部材２２８が設けられた接続部材２２５とは異なる側の接続部材２２５の下方の側面部分に、接続部材２２５の外側短辺側面に沿うように裏あて部材２３０が溶接固定されている。この裏あて部材２３０の外側に保持部材２３２が溶接固定されている。この保持部材２３２は、図９のように下方に略１０ｍｍの突出高さで突出した突出部２３３を有する板状に構成されている。
【００７６】
化粧パネル８の設置方法としては、まずパネル設置治具２２３を２個準備する。そして、パネル設置治具２２３を化粧パネル８の長手方向の両端部付近にそれぞれ配置する。化粧パネル８の屋外側面がパネル設置治具２２３の接続部材２２５側に向くようにして、パネル設置治具２２３の下部パネル支持部材２２６の上に載せる。上部パネル支持部材２２８を移動させて化粧パネル８の高さに調整して、化粧パネル８を上部から支持する。そして、二人の作業者でそれぞれパネル設置治具２２３の握りハンドル２２４を持ち、パネル設置治具２２３ごと化粧パネル８を持ち上げ、基礎ベース６の所定の所定位置の上方に離間配置する。この離間配置した状態では、パネル設置治具２２３の保持部材２３２が基礎ベース６に載置された状態で、パネル設置治具２２３及び化粧パネル８を保持している。
【００７７】
この保持部材２３２で保持された状態のまま、奥行き方向には上部パネル受け材１４の上部位置決め部１６、下部パネル受け材１５の下部位置決め部１８に押し当てながら所定位置の真上になるように、パネル設置治具２２３ごと化粧パネル８を移動させて位置調整をする。水平方向には化粧パネル８の目地部の幅を確認しながら、所定位置の真上になるようにパネル設置治具２２３ごと化粧パネル８を移動させて位置調整をする。
【００７８】
位置調整が完了し、所定位置の真上に化粧パネル８を配置できると、化粧パネル８を上部位置決め部１６及び下部位置決め部１８に押し当て当てたまま、パネル設置治具２２３の下部パネル支持部材２２６の曲げ部２２７を手前に引く。曲げ部２２７が引かれることにより、下部パネル支持部材２２６が化粧パネル８に対し相対的に水平移動される。保持部材２３２により保持されていた化粧パネル８は、自重により鉛直に降下し、化粧パネル８下部のパネル固定金具２２が下部パネル受け材１５の溝孔２０に嵌合される。
【００７９】
この際、気密保持部材２１が基礎ベース６端部と化粧パネル８の間に圧着されて気密保持が完了する。次に上部パネル支持部材１４のネジを緩めて、パネル設置治具２３２を化粧パネル８から取り外す。化粧パネル８上端部の凹部の内側の突出部に固定金具３６をはめ込み、一端を上部パネル受け材１４にドリルネジで固定する。以上の作業により化粧パネル８は所定位置に設置される。
【００８０】
このパネル設置方法によれば、保持部材３２が治具本体２４２及び化粧パネル８を設置位置の上方に離間された状態で保持しており、その保持部材３２は基礎ベース６に載置されているものだから、クレーンを使用しなくとも、基礎ベース６上で保持部材３２ごと治具本体２４２及び化粧パネル８を移動させることで、容易に治具本体２４２及び化粧パネル８を所定位置の真上となるように位置調整することができる。そして、所定位置の真上になるように調整した後で、下部パネル支持部材２２６を水平移動することで、化粧パネル８が自重により降下し、所定位置に設置される。
【００８１】
また、パネル落下防止部である折り返し部２２９により治具２２３で化粧パネル８を持ち運びする際や、化粧パネル８の設置作業をする際に誤って化粧パネル８が落下することを防止することができ、化粧パネル８の破損を防止できる。
【００８２】
上部位置決め部１６、下部位置決め部１８が化粧パネル８を所定位置の真上となる位置を示すので、保持部材３２により化粧パネル８が保持された状態で、化粧パネル８が所定位置の真上に位置調整し易くなる。また、化粧パネル８を降下させる際に、化粧パネル８が上部位置決め部１６及び下部位置決め部１８に接した状態のまま降下させるので、所定位置に向かって誘導され降下経路が安定し、設置精度を向上させることができる。
【００８３】
化粧パネル８が所定位置に設置される際に化粧パネル８と基礎ベース６とが接触する部分の化粧パネル８側接触部である凸部側面４０に気密保持部材２１が設けられているので、支持部材２２６を水平移動させ、化粧パネル８が所定位置に降下する際に、気密保持部材２１が化粧パネル８と基礎ベース６との間に挟まれ、気密保持部材２１が圧着されて、化粧パネル８と基礎ベース６との隙間がしっかりと埋められるので、化粧パネル８設置と同時に基礎部分内側の気密性の保持が完了できる。
【００８４】
以上、本発明の実施例を説明したが、本発明は上記実施例に限定されるものではなく、本発明の要旨を逸脱しない範囲の設計変更があっても本発明に含まれるのは勿論である。
【産業上の利用可能性】
【００８５】
パネルを所定位置に正確に設置することができるパネル設置方法として有効である。
【図面の簡単な説明】
【００８６】
【図１】本発明の実施例１のパネル設置方法の使用説明図である。
【図２】本発明の実施例１のパネル設置治具の部品展開図である。
【図３】本発明のパネル設置方法で使用する化粧パネルの部品展開図である。
【図４】ユニット建物の模式平面図である。
【図５】（ａ）図４のＡ部におけるユニット建物の詳細平面図である。（ｂ）図４のＢ部におけるユニット建物の詳細平面図である。（ｃ）図４のＣ部におけるユニット建物の詳細平面図である。
【図６】（ａ）図４のＡ部に用いる柱型基礎の斜視図である。（ｂ）図４のＢ部に用いるパネル固定用束の斜視図である。（ｃ）図４のＣ部に用いる柱型基礎の斜視図である。
【図７】ユニット建物を構成する建物ユニットの斜視図である。
【図８】本発明の実施例２のパネル設置方法の使用説明図である。
【図９】本発明の実施例２のパネル設置治具の部品展開図である。
【符号の説明】
【００８７】
Ａ        ユニット建物出隅部
Ｂ        化粧パネル継ぎ部
Ｃ        建物ユニット継ぎ部
１        ユニット建物
２        建物ユニット
３        柱
４        天井梁
５        床梁
６        基礎ベース
７        柱型基礎
８        化粧パネル
９        外壁パネル
１０        開口部
１１        上部プレート
１２        下部プレート
１３        パネル固定用束
１４        上部パネル受け材
１５        下部パネル受け材
１６        上部位置決め部
１７        設置用孔
１８        下部位置決め部
１９        設置用孔
２０        溝孔
２１        気密保持分材
２２        パネル固定金具
２３        パネル設置治具
２４        握りハンドル
２５        接続部材
２６        下部パネル支持部材
２７        折り返し部（パネル落下防止部）
２８        上部パネル支持部材
２９        折り返し部（パネル落下防止部）
３０        裏あて部材
３１        ボルト孔
３２        保持部材
３３        突出部
３４        溝孔
３５        レバー
３６        固定金具
３７        柱部
３８        凹部
３９        凸部
４０        凸部側面
４１        化粧パネル下端面
４２        治具本体
【図１】
2007224604.tif 000003
【図２】
2007224604.tif 000004
【図３】
2007224604.tif 000005
【図４】
2007224604.tif 000006
【図５】
2007224604.tif 000007
【図６】
2007224604.tif 000008
【図７】
2007224604.tif 000009
【図８】
2007224604.tif 000010
【図９】
2007224604.tif 000011